(57)【要約】【課題】  鋭利な刃物で破断させた場合に、既に破断されていることを使用者が容易に視認できるセキュリティーシールを提供する。【解決手段】  セキュリティーシール１４は、磁気カートリッジＤを収容する収容体１０の本体１１と、本体１１に開閉自在に設けられた蓋部１２との境界線１１ｅに跨るように貼り付けられるセキュリティーシール１４であって、シール基材１４ａと、境界線１１ｅ上に位置し、複数のスリット１５ａ，１５ｂからなるミシン部１５とを備え、ミシン部１５が、境界線１１ｅに対して傾斜するスリット１５ａ，１５ｂ同士を交わるように組み合せた形状である。【選択図】  図３
2005196022.tif 000002
【特許請求の範囲】
【請求項１】
磁気カートリッジを収容する収容体の本体と、前記本体に開閉自在に設けられた蓋部との境界線に跨るように貼り付けられるセキュリティーシールであって、
シール基材と、前記境界線上に位置し、複数のスリットからなるミシン部とを備え、前記ミシン部が、前記境界線に対して傾斜するスリット同士を交わるように組み合せた形状であることを特徴とするセキュリティーシール。
【請求項２】
上記請求項１に記載のセキュリティーシールを用いて前記本体を封緘したことを特徴とする磁気カートリッジの収容体。
【発明の詳細な説明】
【技術分野】
【０００１】
本発明は、磁気カセットカートリッジの収納体を封緘するセキュリティーシールに関する。
【背景技術】
【０００２】
従来、コンピュータのデータバックアップ用の記録媒体としては、磁気テープを巻装した単一のリールを長方体形状の筐体に収容して構成された磁気テープカートリッジや、磁気ディスクを筐体に回転可能に収容して構成されたディスクカートリッジ（以下、総称して磁気カートリッジという。）が用いられている。
【０００３】
これら磁気カートリッジは、外部から衝撃が加わることや磁気テープや磁気ディスクに塵埃が付着することを避けるため、搬送や保管の際には専用の収納体に収められている。
【０００４】
磁気カートリッジの収納体には、工場から出荷されてから使用されるまでに磁気カートリッジが一度も使用されていないことを示すための封緘として機能するセキュリティーシールが貼り付けられている（例えば、特許文献１など）。
【０００５】
【特許文献１】特開２００２−３４７８７５号公報
【発明の開示】
【発明が解決しようとする課題】
【０００６】
ところで、磁気カートリッジの収納体に貼り付けられたシールは、鋭利な刃物などで切断して開封された場合には、その切れ目が細くなるため、使用者が視認することができないことがあった。すると、使用者が開封されたことを確認することが困難であるため、開封されていない磁気カートリッジの収納体と区別がつき難くなり、この結果、使用者が誤って開封されていない磁気カートリッジとして取り扱うことによって既に磁気情報の書き込みが行われた磁気カートリッジをバックアップ用として使用してしまうことが懸念されている。
このように、従来のセキュリティーシールは、鋭利な刃物で破断されることで、使用者が既に開封されたものであることを示す封緘としての機能が低下してしまう点で改善の余地があった。
【０００７】
本発明は、上記事情に鑑みてなされたもので、その目的は、鋭利な刃物で破断させた場合に、既に破断されていることを使用者が容易に視認できるセキュリティーシールを提供することにある。
【課題を解決するための手段】
【０００８】
本発明の上記目的は、磁気カートリッジを収容する収容体の本体と、本体に開閉自在に設けられた蓋部との境界線に跨るように貼り付けられるセキュリティーシールであって、シール基材と、境界線上に位置し、複数のスリットからなるミシン部とを備え、ミシン部が、境界線に対して傾斜するスリット同士を交わるように組み合せた形状であることを特徴とするセキュリティーシールによって達成される。
【０００９】
本発明のセキュリティーシールは、蓋部を開けることで、蓋部と本体との境界線に跨るように貼り付けられたセキュリティーシールのミシン部が略境界線上で破断される構成であり、収容体が既に開けられたことを利用者に視覚的に認識させるといった封緘として機能する。シール基材に設けられたミシン部が傾斜する向きが異なるスリット同士を交わるように組み合せた形状であると、鋭利な刃物でシール基材における略境界線上に切断線を加えた場合には、この切断線と交わるスリットとによって区画されたシール片が、シール基材から剥がれ落ちる、又は、捲れ上がるようになる。このため、利用者がシール片によって、既に開封された収容体であるか否かを容易に視認することができるようになる。
【００１０】
さらに、上記のセキュリティーシールを用いて封緘した磁気カートリッジの収容体は、セキュリティーシールが鋭利な刃物で破談されても使用者に容易に視認することができる。
【発明の効果】
【００１１】
本発明によれば、鋭利な刃物で破断させた場合に、既に破断されていることを使用者が容易に視認できるセキュリティーシールを提供できる。
【発明を実施するための最良の形態】
【００１２】
以下、本発明の実施形態を図面に基づいて詳しく説明する。
図１は、本発明にかかるセキュリティーシールを用いた磁気カートリッジの収容体の一実施形態を示す図である。図２は、磁気カートリッジの収容体の蓋部を開放した状態を示す図である。
図１に示すように磁気カートリッジＤを収容する収容体１０は、本体１１と、本体１１にヒンジ部１３を介して開閉可能に連結された蓋部１２を有するものである。
【００１３】
本体１１は、方形平板状の底板１１ａと、該底板１１ａにおいて蓋部１２側の周縁部に立設された背板１１ｂと、底板１１ａの両側縁部にそれぞれ立設された側板１１ｃとを有している。
【００１４】
蓋部１２は、本体１１の底板１１ａと同じ形状の方形平板状の上板１２ａと、この上板１２ａの一辺には、本体１１の背板１１ｂと同じ形状である前板１２ｂが立設されている。蓋部１２を閉じた状態において、これら底板１１ａと、背板１１ｂと、両方の側板１１ｃと、蓋部１２の上板１２ａ及び前板１２ｂとによって、磁気カートリッジＤが収容される空間が構成される。
【００１５】
蓋部１２は、前板１２ｂが設けられた端縁部と反対側の端縁部には薄肉に形成されたヒンジ部１３が設けられ、このヒンジ部１３によって本体１１の背板１１ｂの上端部に連結されている。こうして、蓋部１２は、本体１１に対して図中矢印Ｗ方向に開閉可能な構成である。
【００１６】
また、蓋部１２の両側縁部１２ｃには、側壁１２ｄがそれぞれ立設されている。蓋部１２を閉じた状態で、両側縁部１２ｃが本体１１の側板１１ｃの上端部に当接するとともに、側壁１２ｄの外側面が側板１１ｃの内側面と当接するように構成されている。蓋部１２の前板１２ｂの上端部と本体１１の底板１１ａのそれぞれに互いに係合可能な凹凸を設け、蓋部１２を閉じた際に、嵌め合う構成としてもよい。
【００１７】
図３は、図１に示す磁気カートリッジの収納体におけるＸ部分の拡大図である。図１及び図３に示すように、セキュリティーシールが蓋部１２の開閉側端部とヒンジ部側端部との間の側縁部１２ｃに跨るようにセキュリティーシール１４が貼り付けられている。
【００１８】
セキュリティーシール１４には、蓋部１２を開ける際に図中矢印Ｏ方向に切り離されて、セキュリティーシール１４を二分するミシン部１５が設けられている。セキュリティーシール１４は、上記ミシン部１５が蓋部１２の上板１２ａと本体１１の側板１１ｃとの境界線１１ｅに重なる位置するように貼り付けられている。
【００１９】
図４は、本実施形態にかかるセキュリティーシールを平面視した状態を示す図である。  図４に示すように、セキュリティーシール１４は、シール基材１４ａと、シール基材１４ａに切り込まれた複数のスリット１５ａ，１５ｂからなるミシン部１５とを備えている。
【００２０】
シール基材１４ａにおいて、本体１１に貼り付ける側の面には図示しない接着剤が塗布されている。なお、シール基材としては、例えば、粘着紙やアルミニウム箔を貼合した粘着紙を用いることができる。接着剤としては、例えば、アクリル系溶剤型粘着剤やアクリル酸エステル共重合体などを用いることができる。
【００２１】
本実施形態において、ミシン部１５は、２つの互いに交差するスリット１５ａ，１５ｂを境界線の方向（図４の水平方向）に並べたものである。具体的には、図４に示すように、シール基材１４ａを正面視した状態で、左上から右下に向って切り込まれたスリット１５ａが複数（図４では５つ）設けられ、且つ、これらスリット１５ａのそれぞれと交わるように左下から右上に向って切り込まれたスリット１５ｂが複数（図４では５つ）設けられている。
【００２２】
シール基材１４ａには、スリット１５ａに対してスリット１５ｂが略垂直に交わるように切り込まれているが、スリット１５ａとスリット１５ｂとが交差する角度は特に限定されない。また、スリット１５ａ，１５ｂは、少なくとも一部で交差する範囲で、それぞれの切り込みの長さや幅寸法が異なっていてもよい。
【００２３】
このように、セキュリティーシール１４は、収納体１０の蓋部１２を開けることで、蓋部１２と本体１１との境界線１１ｅに跨るように貼り付けられたセキュリティーシール１４のミシン部１５が、スリット１５ａ，１５ｂによって略境界線上で破断する構成である。こうして、セキュリティーシール１４は、収容体１０が既に開けられたことを利用者に視覚的に認識させる封緘として機能する。
【００２４】
また、セキュリティーシール１４は、シール基材１４ａに設けられたミシン部１５が、境界線１１ｅに対して傾斜する向きが異なるスリット１５ａ同士を交わるように組み合せた形状である。
【００２５】
ここで、鋭利な刃物等でシール基材の略境界線上において切断線を加える場合を考える。図５は、図４に示すセキュリティーシールのシール基材に切断線を加えた状態を説明する図である。
図５に示すように、図３に示す蓋部１２の側縁部１２ｃと本体１１の側板１１ｃとの境界線上にセキュリティーシール１４を切断するため、シール基材１４ａの幅方向に切断線Ｌを加えると、この切断線Ｌが互いに交わるスリット１５ａとスリット１５ｂとの両方と交わる。すると、切断線Ｌとこれらスリット１５ａ，１５ｂとによって区画された部位であるシール片ｄが生じる。シール片ｄは周縁が全て切断されシール基材と分断された状態であるため、切断線Ｌを加えたときの刃との摩擦によってシール基材１４ａから剥がれ落ちた状態、又は、捲れ上がりシール基材１４ａ表面から突出した状態となる。このため、セキュリティーシール１４は、鋭利な刃物で境界線上に沿うように切断されても、利用者がシール片ｄによって、既に開封された収容体１０であることが容易に視認することができるようになる。したがって、本発明にかかるセキュリティーシール１４は、スリット１５ａ，１５ｂによって良好な開封性と視認性を確保することができる。
【００２６】
なお、本発明は、前述した実施形態に限定されるものではなく、適宜な変形、改良などが可能である。
例えば、上記実施形態においてスリット１５ａとスリット１５ｂとの各交点がシール基材１４ａの幅方向においてほぼ一直線上に並んでいるが、これら交点の位置を幅方向に対してシール基材１４ａの長さ方向にそれぞれずらしてもよい。切断線Ｌが全ての交点上を通る場合にはシール片ｄが区画されにくくなるが、上記のようにスリット１５ａ，１５ｂの交点をずらすことで、シール片ｄが区画されやすくなるため好ましい。
【図面の簡単な説明】
【００２７】
【図１】本発明にかかるセキュリティーシールを用いた磁気カートリッジの収容体の一実施形態を示す図である。
【図２】図１に示す磁気カートリッジの収容体の蓋部を開放した状態を示す図である。
【図３】図１に示す磁気カートリッジの収納体におけるＸ部分の拡大図である。
【図４】本実施形態にかかるセキュリティーシールを平面視した状態を示す図である。
【図５】図４に示すセキュリティーシールのシール基材に切断線を加えた状態を説明する図である。
【符号の説明】
【００２８】
１０    （磁気カートリッジの）収納体
１１    本体
１２    蓋部
１４    セキュリティーシール
１５    ミシン部
１５ａ，１５ｂ    スリット
【図１】
2005196022.tif 000003
【図２】
2005196022.tif 000004
【図３】
2005196022.tif 000005
【図４】
2005196022.tif 000006
【図５】
2005196022.tif 000007